(57)【要約】【課題】例えば人工透析中に体全体は安静に保ちながら、足だけを十分に運動させ、かつ、マッサージできる健康器具を提供する。【解決手段】健康器具１は、プレート状の支持部３と、この支持部３の上端に取り付けられたローラ装置５を備えている。支持部３は上側に長方形状の凹部１１を有している。ローラ装置５は、両端部が取り付け部１５に固定して支えられた軸部材１９と、この軸部材１９に取り付けられた左右両側のローラ群２１、２１を有している。軸部材１９は、軸本体２３と、この軸本体２３の両端に設けられた円盤状の抜け止め部材２５、２５を有し、軸本体２３の両端部はそれぞれ、抜け止め部材２５が取り付け部１５の外側に位置して取り付け部１５の外端と係合するように、固定テープ２６、２６で取り付け部１５に取り付けられている。【選択図】図１
2019093082.tif 000002
【特許請求の範囲】
【請求項１】
支持部の上端に支えられて設けられているローラ装置を備えた健康器具において、
前記ローラ装置は、第１のローラ部と第２のローラ部とを有し、この第１のローラ部と第２のローラ部は幅方向に並んで設けられている健康器具。
【請求項２】
前記第１のローラ部は複数の第１のローラを有し、前記第２のローラ部は複数の第２のローラを有している請求項１の健康器具。
【請求項３】
前記支持部は一対の脚部を有し、この一対の脚部は幅方向に間隔を有して設けられている請求項１又は２の健康器具。
【請求項４】
前記支持部はプレート状に形成されている請求項１、２又は３の健康器具。
【発明の詳細な説明】
【技術分野】
【０００１】  本発明は、膝の裏やふくらはぎを載せて脚部の運動やマッサージを行い、例えば人工透析中に血圧が低下するのを防止する健康器具に関する。
【背景技術】
【０００２】  人工透析では血管内の水を抜く除水を行うが、除水量が多い場合には血圧が低下し気分が悪くなることが多い。人工透析中の血圧の低下に伴う吐き気などを防止するためには、腰部などを上下動させる機能を有するベッド（特許文献１参照）を使用して透析患者の腰や脚の位置を上にあげることがよく行われる。
【先行技術文献】
【特許文献】
【０００３】
【特許文献１】特開２００７−１５１８３７号公報
【発明の概要】
【発明が解決しようとする課題】
【０００４】  ところが、患者の腰部分を上にあげても血圧の低下を十分防止することはできない。また、足側の傾斜機能を備えたベッドも使用されているが、患者自身が自由に操作できるようには構成されていないので、この機能を利用しても十分な足の運動を行うことはできず、人工透析中の血圧の低下及び吐き気の防止にはあまり役立っていない。【０００５】  このような状態に鑑み、本発明は例えば人工透析中に体全体は安静に保ちながら、足だけを十分に運動させる、かつ、マッサージできる健康器具の提供を目的とする。
【課題を解決するための手段】
【０００６】  本発明の健康器具では、支持部の上端に支えられて設けられているローラ装置を備えた健康器具において、前記ローラ装置は、第１のローラ部と第２のローラ部とを有し、この第１のローラ部と第２のローラ部は幅方向に並んで設けられている。【０００７】  第１のローラ部は複数の第１のローラを有し、第２のローラ部は複数の第２のローラを有することができる。支持部は一対の脚部を有するように構成でき、この一対の脚部は幅方向に間隔を有して設けることができる。支持部はプレート状に形成できる。
【発明の効果】
【０００８】  本発明の健康器具は、ベッドなどに横たわったままで随時簡単に脚の運動又はマッサージのために使用することができる。
【図面の簡単な説明】
【０００９】
【図１】本発明の健康器具の斜視図である。
【図２】健康器具のローラ装置の分解斜視図である。
【図３】健康器具の使用例を示す図である。
【図４】健康器具の別の使用例を示す図である。
【図５】マットを使用する場合の説明図である。
【発明を実施するための形態】
【００１０】  以下、図面を参照して本発明の実施の形態を説明する。
【００１１】  まず、図１及び図２を参照して本発明の健康器具の構成を説明する。
【００１２】  健康器具１は、プレート状の支持部３と、この支持部３の上端に取り付けられたローラ装置５を備えている。プレート状の支持部３は、正方形状のプレート体の左右両側に円弧状又は半円状の凹部７、７を形成するとともに、下側に円弧状の凹部９を設け、また、上側に長方形状の凹部１１を構成した形状であり、下側の凹部９の両側に脚部１３、１３を有し、上側の凹部１１の両側に取り付け部１５、１５を備えている。脚部１３、１３にはそれぞれ、すべり止め用の布部材１７、１７が取り付けられている。
【００１３】  ローラ装置５は、両端部が取り付け部１５に固定して支えられた軸部材１９と、この軸部材１９に取り付けられた左右両側のローラ群２１、２１を有している。一方のローラ群２１は第１のローラ部を構成し、他方のローラ群２１は第２のローラ部を構成する。軸部材１９は、軸本体２３と、この軸本体２３の両端に設けられた円盤状の抜け止め部材２５、２５を有し、軸本体２３の両端部はそれぞれ、抜け止め部材２５が取り付け部１５の外側に位置して取り付け部１５の外端と係合するように、固定テープ２６、２６で取り付け部１５に取り付けられている。
【００１４】  それぞれのローラ群２１は、外側に保護部材２７を有し、この保護部材２７の内側に複数の回転ローラ２９を備えていて、２つのローラ群２１の間にはスペース用ローラ３１が配置されている。保護部材２７は円盤体の中央に軸部材１９の軸本体２３を通す軸孔３３を有し、円盤体の外周からこの軸孔３３まで延びるように、取り付け部１５の厚みと同じ幅又はほぼ同じ幅あるいは取り付け部１５の厚みよりも若干狭い幅の取り付け溝３５（軸孔３３及び軸本体２３の直径よりも幅は狭い）が形成されていて、取り付け溝３５内に取り付け部１５が例えばきつく嵌まるようにして取り付け部１５に取り付けられる。保護部材２７の幅方向内側は取り付け部１５の内端よりも内側に位置し、回転ローラ２９が取り付け部１５の内端に当たらないように又は当たりにくいように構成されている。
【００１５】  抜け止め部材２５は小さな円盤状に形成され、一方は軸本体２３の一端にはじめから固定されているが、他方は軸本体２３に２つのローラ群２１、２１及びスペース用ローラ３１を取り付けてから軸本体２３の他端に固定される。
【００１６】  次に図３及び図４を参照して健康器具１の使用例を説明する。
【００１７】  健康器具１をベッド３７などの上に立てた状態にし、ベッド３７などの上にあお向けに寝て一方のふくらはぎを一方のローラ群２１の上に乗せ、他方のふくらはぎを他方のローラ群２１の上に乗せる。そして、一方のふくらはぎで健康機具１（一方のローラ群２１）を押さえた状態で他方のふくらはぎを他方のローラ群２１でマッサージする（図３ａ）。マッサージは足を換えて交互に行なう。あるいは、一方のふくらはぎで健康器具１を押さえた状態で他方のふくらはぎを上下させ、ふくらはぎを他方のローラ群２１に押し当てる（図３ｂ）。ふくらはぎの上下運動は脚を換えて交互に行なう。
【００１８】  また、図４に示すように、健康器具１をベッド３７などの上に立てた状態にし、ベッド３７などの上にあお向けに寝て一方のひざの裏をいっぽうのローラ群２１の上にのせ、他方のひざの裏を他方のローラ群２１の上にのせる。そして、健康器具１が脚部１３、１３を中心に揺動するように足を動かすようにしてもよい。
【００１９】  なお、床や畳３８の上で健康器具１を使用する場合には、図５に示すように、すべり止めのマット３９の上に健康器具１を立てた状態で使用するのが好ましい。
【符号の説明】
【００２０】  １          健康器具
３          支持部
５          ローラ装置
２１          ローラ群
【図１】
2019093082.tif 000003
【図２】
2019093082.tif 000004
【図３】
2019093082.tif 000005
【図４】
2019093082.tif 000006
【図５】
2019093082.tif 000007
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
プレート状の支持部の上端にローラ装置を備えた健康器具において、
前記支持部は上側に、幅方向中間の収容凹部と、この収容凹部の両側の取り付け部と、を有し、
前記ローラ装置は、軸部と、この軸部に回転可能に設けられた複数のローラと、を備え、前記ローラが前記収容凹部に配置されるように前記軸部が前記取り付け部に取り付けられ、
前記軸部には前記複数のローラの両側で保護部材が取り付けられていて、
前記保護部材はそれぞれ、前記軸部が貫通する軸孔及び前記取り付け部が嵌り込む取り付け溝を有し、前記取り付け溝内に前記取り付け部を収めることにより前記取り付け部に取り付けられている健康器具。
【請求項２】
前記保護部材は、内面が前記取り付け部の内端よりも内側に位置するように前記取り付け部に取り付けられている請求項１の健康器具。
【請求項３】
前記支持部は一対の脚部を有し、この一対の脚部は幅方向に間隔を有して設けられている請求項１又は２の健康器具。